(57)【特許請求の範囲】
【請求項１】
イチゴの苗を植え付ける栽培槽と、その栽培槽を地面より高位置に設置する架台とを備えたイチゴ栽培装置において、前記栽培槽（１）内から伸び出たイチゴの花柄をその栽培槽（１）に触れさせないように受け止める受紐（１４）を栽培槽（１）の左右両側に沿って平行に張るための紐張り用ブラケット（１５）が設けられ、該紐張り用ブラケット（１５）に、前記栽培槽（１）から離反する方向に向かって下方に傾斜する紐掛け部（２０）が形成されていることを特徴とするイチゴ栽培装置。
【請求項２】
前記紐掛け部（２０）の長さ方向に沿って、受紐（１４）を張る位置を微調整するための凹凸部（２１）が形成されている請求項１記載のイチゴ栽培装置。
【請求項３】
前記紐掛け部（２０）が、プラスチックフィルムの平紐もしくプラスチック製メッシュシートの帯紐で成る受紐（１４）を挟持するクリップ形状に成形されている請求項１記載のイチゴ栽培装置。
【請求項４】
前記栽培槽（１）が、両端が開放された溝形ラック（２）を複数本継ぎ合わせて形成され、前記架台（３）が、前記溝形ラック（２）の継ぎ合わせ箇所を保持固定する桁材（４）と、該桁材（４）を支持する支柱（５）とで形成されると共に、該桁材（４）の左右両端に、夫々前記紐張り用ブラケット（１５）が脱着自在に設けられている請求項１、２又は３記載のイチゴ栽培装置。
【発明の詳細な説明】
【０００１】
【発明の属する技術分野】
本発明は、イチゴの苗を植え付ける栽培槽と、その栽培槽を地面より高位置に設置する架台とを備えたイチゴ栽培装置に関する。
【０００２】
【従来の技術】
この種の従来装置は、例えば図７に示すように、培土を入れてイチゴの苗６０を植え付ける培地６１を形成する栽培槽６２が、プラスチック製のプランタ型容器で成り、その栽培槽６２を地面より高位置に設置する架台６３が、多数の金属パイプ６５、７０で組み立てられている。
【０００３】
栽培槽６２は、上端のフランジ部６４を架台６３の支柱となる金属パイプ７０に水平に固定された二本の平行な金属パイプ６５、６５間に引っ掛けてそのパイプ間に吊り下げた状態に設置される。
【０００４】
そして、栽培槽６２の上に沿って配管した給液チューブ６７から培地６１に水分や栽培養液が補給され、その培地６１に植え付けられたイチゴの苗６０が成育して、栽培槽６２内から伸び出た花柄６８の先端に果実６９が着生すると、その果実６９を栽培槽６２の左右両側に垂らして成熟させるのが一般的である（実用新案登録第３０２８７４４号）。
【０００５】
【発明が解決しようとする課題】
しかしながら、栽培槽６２の左右両側に垂れ下がった果実６９は、時間帯により栽培槽６２の陰になって日差しが遮られるので、成熟が遅れ、糖度が低くて、色づきも悪いものとなり、特に、栽培槽６２の側面と対面する部分は、日差しの反射光も当りにくいため、色づきが極端に悪くなるという問題があった。
【０００６】
また、栽培槽６２から垂れ下がった果実６９が、その栽培槽６２の側面と擦れ合って傷つくおそれもあった。
【０００７】
また、イチゴの花柄６８は、果実６９が着生する先端側よりも根元側の方が折れやすく、特に、その根元側が図７の如く栽培槽６２の上端を成すフランジ部６４に当ってそこから果実６９の重みで真下に向かって急激に曲がった状態になると非常に折れやすくなる。
【０００８】
そこで本発明は、イチゴの果実の成熟を早め、糖度を高め、色づきも良くすると同時に、その果実が栽培槽と擦れ合って傷ついたり、果実の重みで花柄が折れたりするおそれを解消することを技術的課題としている。
【０００９】
【課題を解決するための手段】
上記課題を解決するために、本発明は、イチゴの苗を植え付ける栽培槽と、その栽培槽を地面より高位置に設置する架台とを備えたイチゴ栽培装置において、前記栽培槽内から伸び出たイチゴの花柄をその栽培槽に触れさせないように受け止める受紐を栽培槽の左右両側に沿って平行に張るための紐張り用ブラケットが設けられ、該紐張り用ブラケットに、前記栽培槽から離反する方向に向かって下方に傾斜する紐掛け部が形成されていることを特徴とする。
【００１０】
本発明によれば、栽培槽内から伸び出たイチゴの花柄が栽培槽に触れないようにその栽培槽の左右両側に沿って平行に張られた受紐で受け止められる。したがって、花柄の根元側が栽培槽の上端に当って果実の重みで折れるおそれが解消され、また、花柄の先端に着生する果実が栽培槽の側面と擦れ合って傷つくおそれがなくなり、日差しやその反射光が栽培槽で遮られて果実に当らなくなるという不具合も解消される。
【００１１】
【発明の実施の形態】
以下、本発明の実施形態を図面によって具体的に説明する。
図１は本発明に係るイチゴ栽培装置の一例を示す正面図、図２〜図４は夫々その平面図、側面図、斜視分解図、図５は図４の部分拡大図、図６は紐張り用ブラケットの変形例を示す斜視図である。
【００１２】
栽培槽１は、イチゴの苗を長手方向に沿って一定の間隔で植え付ける硬質プラスチック製の溝形ラック２をその長手方向に複数継ぎ合わせて形成されるようになっている。
【００１３】
栽培槽１を地面より高位置に設置する架台３は、溝形ラック２の継ぎ合わせ箇所を保持固定する硬質プラスチック製の桁材４と、その桁材４の左右両端を支持する支柱５とで形成され、桁材４の左右両端には、支柱５の上端部を挿通する円筒形の支柱取付孔６Ｒ、６Ｌが形成され、支柱５には、支柱取付孔６Ｒ、６Ｌに挿通させる上端部の長さを適宜に調節して桁材４を所望の高さに係止するストッパ７と、地面に突き立てた下端部の沈下を防止する円盤型の沈下防止具８が取り付けられている。
【００１４】
また、桁材４は、前後両面に、溝形ラック２の継ぎ合わせ箇所を嵌め付ける凹形の切欠部９、９が形成されると共に、底部に、溝形ラック２の継ぎ合わせ箇所から洩れ出た余浄水や栽培養液を支柱５に取り付けられた回収樋１０へ滴下させる排水孔１１が形成された桝樋形状に成形され、切欠部９、９には、これに嵌め付けた溝形ラック２を下支えする補強パイプ１２、１２を架設するための切欠部１３、１３が夫々形成されている。
【００１５】
そして、この桁材４の左右両端に、栽培槽１内から伸び出たイチゴの花柄を栽培槽１に触れさせないように受け止める受紐１４を栽培槽１の左右両側に沿って平行に張るための紐張り用ブラケット１５、１５が脱着自在に設けられている。
【００１６】
紐張り用ブラケット１５は、桁材４の支柱取付孔６Ｒ、６Ｌを成す円筒部１６の外面に沿って垂直に形成した突条部１７に対して上方から嵌合する鞘溝１９を有した柱状部１８と、その柱状部１８の上端からくの字状に折れて栽培槽１から離反する方向に向かって下方に傾斜する紐掛け部２０とで形成され、それら柱状部１８と紐掛け部２０は金属もしくは硬質プラスチックで一体成形されている。
【００１７】
紐掛け部２０は、栽培槽１の上端からその外方へ約５ｃｍ離反した位置と、約１０ｃｍ離反した位置に夫々受紐１４を張ることが可能な長さに形成されると共に、その長さ方向に沿って、受紐１４を張る位置を微調整するための凹凸部２１が形成されている。
【００１８】
なお、受紐１４としては、ポリエチレン（ＰＥ）あるいはポリプロピレン（ＰＰ）の延伸フィルムを三つ折り加工した三つ折り紐や、ツイスト加工した撚り紐で成る市販の荷造り紐を用いる。
【００１９】
しかして、本例のイチゴ栽培装置は、まず、図４の分解状態から図１〜３の如く組み立てて、各桁材４の左右両端に夫々紐張り用ブラケット１５、１５を取り付ける。そして、それらブラケット１５により、受紐１４を栽培槽１の左右両端に沿って平行に例えば二本ずつ並設するように張る。なお、受紐１４は、栽培槽１の長手方向に沿って一定の間隔で配された各ブラケット１５の紐掛け部２０に夫々一巻ずつして連続的に張って行く。
【００２０】
これにより、図１鎖線図示の如く、栽培槽１内から伸び出たイチゴの花柄２２を受紐１４で受け止めて栽培槽１の上端や側面等に触れさせないようにすることができると同時に、受紐１４で受け止められた花柄２２の先端に着生するイチゴの果実２３は、栽培槽１から離反した所に垂れ下がるので、その栽培槽の陰になって日差しや反射光が遮られることがなくなり、成熟が早まって、糖度が増し、色づきも良くなると同時に、栽培槽１と擦れ合って傷つくおそれもなくなり、その品質が著しく向上する。
【００２１】
特に、図２の如く、栽培槽１の左右両側に沿って夫々５ｃｍ間隔で二本ずつ受紐１４、１４を張れば、花柄２２の伸び具合に合わせてこれを内側の受紐１４から外側の受紐１４へと掛け換え、その花柄２２の先端に着生した果実２３を栽培槽１からより遠ざけて、栽培期間の全般にわたって日当たりの良い状態を確保することができる。
【００２２】
また、栽培槽１内から伸び出た花柄２２は、栽培槽１の上端に当ってその上端から果実２３の重みで真下に向かって急激に曲がることがないため、花柄２２の根元側が簡単に折れるおそれもない。
【００２３】
特に、栽培槽１内から伸び出た花柄２２を栽培槽１の上端からその外方へ５ｃｍ以上離れた所に張られた受紐１４で受け止めれば、花柄２２の根元側には殆ど曲げ応力が加わらないので、その根元側が折れるおそれが確実に解消される。
【００２４】
また、紐掛け用ブラケット１５の紐掛け部２０は、栽培槽１から離反する方向に向かって下方に傾斜しているので、二本の受紐１４、１４を段違いに張ることにより、果実２３の成熟期には、花柄２２に急激な曲がりを生じさせることなくその花柄２２に加わる果実２３の荷重を二点支持することができる。更に、ポリエチレン（ＰＥ）あるいはポリプロピレン（ＰＰ）の延伸フィルムで作られた三つ折り紐や、撚り紐を用いた受紐１４は、花柄２２に対する当りが非常に軟らかい。したがって、花柄２２は、受紐１４で受け止められた部分が折れたり受紐１４で傷つけられるおそれもない。
【００２５】
また、市販のＰＥ紐やＰＰ紐は、花柄２２に対する当りが軟らかい上に、丈夫で耐水性に優れ、水切れも非常に良く、しかも安価であるから、受紐１４として最適である。
【００２６】
また、安価なＰＥ紐やＰＰ紐で成る受紐１４を張る紐張り用ブラケット１５も製造コストが嵩まない簡易な構成であるから、イチゴ栽培装置のコストアップを最小限に抑えることができる。
【００２７】
なお、受紐１４は、撚り紐や三つ折り紐に限らず、ＰＥやＰＰの延伸フィルムを幅５０ｍｍの薄い平たいまま用いる平紐や、網戸等に用いるプラスチック製メッシュシートを幅５０ｍｍ程度に裁断した帯紐であっても良く、これらプラスチックフィルムの平紐やプラスチック製メッシュシートの帯紐で成る受紐１４を張る紐張り用ブラケット１５の紐掛け部２０は、図６の如く、その平紐あるいは帯紐を挟持するクリップ形状に成形されている。
【００２８】
図２の如く、５ｃｍ間隔で二本ずつ受紐１４、１４を張る場合は、花柄２２の伸び具合に合わせてこれを内側の受紐１４から外側の受紐１４へと掛け換えなければならないが、図６の如く、幅５０ｍｍのＰＥ平紐、ＰＰ平紐やメッシュシートの帯紐等で成る受紐１４を張れば、花柄の掛け換えを行う面倒がないという利点がある。
【００２９】
しかも、花柄は、薄くて幅広なＰＥ平紐やＰＰ平紐によってしなやかに受け止められるので、傷ついたり折れたりするおそれは皆無である。また、プラスチック製メッシュシートの帯紐は水切れが良く、紐掛け部２０に傾斜して係止されプラスチックフィルムの平紐も、三つ折り紐や撚り紐に比べて水切れが格段に良いので、受紐１４として最適である。
【００３０】
【発明の効果】
本発明によれば、コストの嵩まない簡易な手段によって、イチゴの果実の成熟を早め、糖度を高め、色づきも良くすることができると同時に、その果実が栽培槽と擦れ合って傷ついたり、果実の重みで花柄が折れたりするおそれを確実に解消することができるという優れた効果がある。
【図面の簡単な説明】
【図１】本発明に係るイチゴ栽培装置の一例を示す正面図
【図２】図１に示すイチゴ栽培装置の平面図
【図３】図１に示すイチゴ栽培装置の側面図
【図４】図１に示すイチゴ栽培装置の斜視分解図
【図５】図４に示すイチゴ栽培装置の部分拡大図
【図６】紐張り用ブラケットの変形例を示す斜視図
【図７】従来一般のイチゴ栽培装置を示す斜視図
【符号の説明】
１……………栽培槽            ５………………支柱
２……………溝形ラック      １４………………受紐
３……………架台            １５………………紐張り用ブラケット
４……………桁材            ２０………………紐掛け部
【図１】
0004813696.tif 000002
【図２】
0004813696.tif 000003
【図３】
0004813696.tif 000004
【図４】
0004813696.tif 000005
【図５】
0004813696.tif 000006
【図６】
0004813696.tif 000007
【図７】
0004813696.tif 000008